【手続補正書】
【提出日】平成17年4月8日(2005.4.8)
【手続補正１】
【補正対象書類名】明細書
【補正対象項目名】発明の名称
【補正方法】変更
【補正の内容】
【発明の名称】通信機器の機能使用料請求方法、カスタマセンタ及びユーザシステム
【手続補正２】
【補正対象書類名】明細書
【補正対象項目名】特許請求の範囲
【補正方法】変更
【補正の内容】
【特許請求の範囲】
【請求項１】
通信機能を有する通信機器を備えたユーザシステムと、当該通信機器の運用支援業務を行なうカスタマセンタとの間で、通信ネットワークを介して授受される情報に基づき前記通信機器のサービス機能の使用に関する料金請求を行なう方法であって、
前記通信機器において、予め備えているサービス機能群の少なくとも一部とそれらの使用量とを含む使用実績情報を前記通信ネットワークを介して定期的にカスタマセンタに送信する過程と、
カスタマセンタにおいて、前記通信機器から到来した使用実績情報に基づいて、サービス機能ごとの使用料金を算出する過程と、
前記使用実績情報の送信元となる通信機器を有するユーザシステムに対し、算出したサービス機能ごとの使用料金の請求処理を行なう過程とを具備したことを特徴とする通信機器の機能使用料請求方法。
【請求項２】
通信機能を有する通信機器を備えたユーザシステムと、当該通信機器の運用支援業務を行なうカスタマセンタとの間を通信ネットワークにより接続し、かつ前記ユーザシステムに予め付与した個別識別情報に対応付けて、その通信機器に対し前記通信ネットワークから割り当てられた加入者情報、通信機器に予め付与した秘密の機器識別情報、及び通信機器からサービス機能群の少なくとも一部とそれらの使用量を取得する日時情報をそれぞれ格納したユーザデータベース及びタイマを備えたシステムに適用され、前記ユーザシステムとカスタマセンタとの間で授受される情報に基づき前記通信機器のサービス機能の使用に関する料金請求を行なう方法であって、
前記カスタマセンタにおいて、タイマにより得られる現在日時情報と前記ユーザデータベースに格納された日時情報とを比較し、この比較結果に基づいて該当する通信機器に通信ネットワークを介してアクセスして当該通信機器のサービス機能群の少なくとも一部とそれらの使用量とを含む使用実績情報を取得する過程と、
前記通信機器から取得した使用実績情報に基づいて、サービス機能ごとの使用料金を算出する過程と、
前記使用実績情報の送信元となる通信機器を有するユーザシステムに対し、算出したサービス機能ごとの使用料金の請求処理を行なう過程とを具備したことを特徴とする通信機器の機能使用料請求方法。
【請求項３】
通信機能を有する通信機器を備えたユーザシステムに対し通信ネットワークを介して接続され、前記ユーザシステムとの間で授受される情報に基づいて、前記通信機器のサービス機能の使用に関する料金請求を行なうカスタマセンタであって、
前記通信機器から送信された、サービス機能群の少なくとも一部とこれらサービス機能群それぞれの使用量とを含む使用実績情報を定期的に受信する使用実績情報受信手段と、
この使用実績情報受信手段により受信された使用実績情報に基づいて、サービス機能ごとの使用料金を算出する料金算出手段と、
前記使用実績情報の送信元となる通信機器を有するユーザシステムに対し、前記料金算出手段により算出されたサービス機能ごとの使用料金の請求処理を行なう請求処理手段とを具備したことを特徴とするカスタマセンタ。
【請求項４】
通信機能を有する通信機器を備えたユーザシステムに対し通信ネットワークを介して接続され、前記ユーザシステムとの間で授受される情報に基づいて、前記通信機器のサービス機能の使用に関する料金請求を行なうカスタマセンタであって、
前記ユーザシステムに予め付与した個別識別情報に対応付けて、その通信機器に対し前記通信ネットワークから割り当てられた加入者情報、通信機器に予め付与した秘密の機器識別情報、及び通信機器からサービス機能群の少なくとも一部とそれらの使用量を取得する日時情報をそれぞれ格納したユーザデータベースと、
タイマと、
このタイマにより得られる現在日時情報と前記ユーザデータベースに格納された日時情報とを比較する比較手段と、
この比較手段による比較結果に基づいて、該当する通信機器に対し通信ネットワークを介してアクセスし、当該通信機器からサービス機能群の少なくとも一部とこれらサービス機能群それぞれの使用量とを含む使用実績情報を取得する使用実績情報取得手段と、
この使用実績情報取得手段により取得された使用実績情報に基づいて、サービス機能ごとの使用料金を算出する料金算出手段と、
前記使用実績情報の送信元となる通信機器を有するユーザシステムに対し、前記料金算出手段により算出されたサービス機能ごとの使用料金の請求処理を行なう請求処理手段とを具備したことを特徴とするカスタマセンタ。
【請求項５】
通信機能を有する通信機器を備えたユーザシステムに対し通信ネットワークを介して接続され、前記ユーザシステムとの間で授受される情報に基づいて、前記通信機器のサービス機能の規制を行なうカスタマセンタであって、
前記通信機器から送信された、サービス機能群の少なくとも一部とこれらサービス機能群それぞれの使用量とを含む使用実績情報を定期的に受信する使用実績情報受信手段と、
この使用実績情報受信手段により受信された使用実績情報に基づいて、サービス機能ごとの使用料金を算出する料金算出手段と、
前記使用実績情報の送信元となる通信機器を有するユーザシステムに対し、前記料金算出手段により算出されたサービス機能ごとの使用料金の請求処理を行なう請求処理手段と、
この請求処理手段による請求処理に対する支払結果に基づいて機能規制制御情報を作成する作成手段と、
この作成手段により作成された機能規制制御情報を、該当する通信機器に対し前記通信ネットワークを介して送信して、この機能規制制御情報をもとに当該通信機器の機能規制処理を行なわせる機能規制制御手段とを具備したことを特徴とするカスタマセンタ。
【請求項６】
通信機能を有する通信機器を備えたユーザシステムに対し通信ネットワークを介して接続され、前記ユーザシステムとの間で授受される情報に基づいて、前記通信機器のサービス機能の使用に関する料金請求を行なうカスタマセンタであって、
前記ユーザシステムに予め付与した個別識別情報に対応付けて、その通信機器に対し前記通信ネットワークから割り当てられた加入者情報、通信機器に予め付与した秘密の機器識別情報、及び通信機器からサービス機能群の少なくとも一部とそれらの使用量を取得する日時情報をそれぞれ格納したユーザデータベースと、
タイマと、
このタイマにより得られる現在日時情報と前記ユーザデータベースに格納された日時情報とを比較する比較手段と、
この比較手段による比較結果に基づいて、該当する通信機器に対し通信ネットワークを介してアクセスし、当該通信機器からサービス機能群の少なくとも一部とこれらサービス機能群それぞれの使用量とを含む使用実績情報を取得する使用実績情報取得手段と、
この使用実績情報取得手段により取得された使用実績情報に基づいて、サービス機能ごとの使用料金を算出する料金算出手段と、
前記使用実績情報の送信元となる通信機器を有するユーザシステムに対し、前記料金算出手段により算出されたサービス機能ごとの使用料金の請求処理を行なう請求処理手段と、
この請求処理手段による請求処理に対する支払結果に基づいて機能規制制御情報を作成する作成手段と、
この作成手段により作成された機能規制制御情報を、該当する通信機器に対し前記通信ネットワークを介して送信して、この機能規制制御情報をもとに当該通信機器の機能規制処理を行なわせる機能規制制御手段とを具備したことを特徴とするカスタマセンタ。
【請求項７】
前記請求項３記載のカスタマセンタに接続されるユーザシステムにおいて、
予め備えているサービス機能群の少なくとも一部とこれらサービス機能群それぞれの使用量とを含む使用実績情報を前記通信ネットワークを介して定期的にカスタマセンタに送信する通信機器と、
前記カスタマセンタから通信ネットワークを介して送られてくるサービス機能ごとの使用料金を表す請求情報を受信する請求情報受信手段とを具備したことを特徴とするユーザシステム。
【請求項８】
前記請求項４記載のカスタマセンタに接続されるユーザシステムにおいて、
前記カスタマセンタからの要求に応じて、予め備えているサービス機能群の少なくとも一部とこれらサービス機能群それぞれの使用量とを含む使用実績情報を前記通信ネットワークを介してカスタマセンタに送信する通信機器と、
前記カスタマセンタから通信ネットワークを介して送られてくるサービス機能ごとの使用料金を表す請求情報を受信する請求情報受信手段とを具備したことを特徴とするユーザシステム。
【請求項９】
前記請求項５に記載のカスタマセンタに接続されるユーザシステムにおいて、
予め備えているサービス機能群の少なくとも一部とこれらサービス機能群それぞれの使用量とを含む使用実績情報を前記通信ネットワークを介して定期的にカスタマセンタに送信する通信機器と、
前記カスタマセンタから通信ネットワークを介して送られてくるサービス機能ごとの使用料金を表す請求情報を受信する請求情報受信手段と、
前記カスタマセンタから送られた機能規制制御情報を受信する機能規制制御情報受信手段と、
この機能規制制御情報受信手段により受信された機能規制制御情報に従い前記通信機器の機能規制処理を実行する機能規制処理手段とを具備したことを特徴とするユーザシステム。
【請求項１０】
前記請求項６に記載のカスタマセンタに接続されるユーザシステムにおいて、
前記カスタマセンタからの要求に応じて、予め備えているサービス機能群の少なくとも一部とこれらサービス機能群それぞれの使用量とを含む使用実績情報を前記通信ネットワークを介して定期的にカスタマセンタに送信する通信機器と、
前記カスタマセンタから通信ネットワークを介して送られてくるサービス機能ごとの使用料金を表す請求情報を受信する請求情報受信手段と、
前記カスタマセンタから送られた機能規制制御情報を受信する機能規制制御情報受信手段と、
この機能規制制御情報受信手段により受信された機能規制制御情報に従い前記通信機器の機能規制処理を実行する機能規制処理手段とを具備したことを特徴とするユーザシステム。